(57)【特許請求の範囲】
【請求項１】
溶解炉の炉本体に被着される炉蓋を昇降させる装置であって、炉蓋の上方に移動可能に配設されたレール誘導の台車と、該台車上に設置された支持枠と、該支持枠に装備された対の巻き取りドラムと、該巻き取りドラムに巻き付けられたワイヤと、該ワイヤの先端部に吊下げられた昇降ビームと、該昇降ビームに取り付けられた対のガイドと、該昇降ビームに回転可能に装備された対の爪付きロッドとを備え、該昇降ビームの昇降時に、該ガイドが炉蓋に取り付けられたアタッチメントと摺接し、該爪付きロッドの爪が該アタッチメントと係合するようにして成ることを特徴とする溶解炉の炉蓋昇降装置。
【請求項２】
支持枠に対のガイドロッドが取り付けられており、昇降ビームに該ガイドロッドの誘導孔が貫設された請求項１記載の溶解炉の炉蓋昇降装置。
【発明の詳細な説明】
【０００１】
【発明の属する技術分野】
本発明は溶解炉の炉蓋昇降装置に関する。炉本体と該炉本体に被着された炉蓋とを備える溶解炉で金属スクラップを溶解する場合、原料である金属スクラップの炉内投入、炉本体からの溶湯の出鋼、炉内の点検や補修等に際して、炉蓋を適宜に開閉する。炉蓋の開閉は炉蓋を昇降させて行なうが、本発明はかかる炉蓋の昇降に用いる装置の改良に関する。
【０００２】
【従来の技術】
従来、溶解炉の炉蓋昇降装置として、炉蓋と昇降旋回機とをアームで連結して成るものが使用されている（特公平６−４６１４５）。この従来装置は、溶解炉の炉本体の側に配置した昇降旋回機によりアームを介して炉蓋を上昇させ、更に旋回させることにより炉蓋を開き、また昇降旋回機によりアームを介して炉蓋を旋回させ、更に下降させることにより炉蓋を閉じるというものである。ところが、かかる従来装置には、炉蓋の昇降時に、炉蓋が位置ずれしたり或は傾いて、炉蓋と炉本体とが部分的に衝突し、その衝突部を損なうという問題がある。近年のように溶解炉が大形になり、これに伴って炉蓋も相応に重量に富むものになると、また炉蓋にシャフト形炉頂予熱装置が装備される場合は特に、かかる炉蓋を炉本体の側に配置した昇降旋回機にアームを介して支持することの機構上の無理もあって、炉蓋と炉本体との部分的な衝突による衝突部の変形や損壊がしばしば発生するのである。
【０００３】
【発明が解決しようとする課題】
本発明が解決しようとする課題は、従来装置では、炉蓋と炉本体との衝突による衝突部の変形や損壊がしばしば発生する点である。
【０００４】
【課題を解決するための手段】
上記の課題を解決する本発明は、溶解炉の炉本体に被着される炉蓋を昇降させる装置であって、炉蓋の上方に移動可能に配設されたレール誘導の台車と、該台車上に設置された支持枠と、該支持枠に装備された対の巻き取りドラムと、該巻き取りドラムに巻き付けられたワイヤと、該ワイヤの先端部に吊下げられた昇降ビームと、該昇降ビームに取り付けられた対のガイドと、該昇降ビームに回転可能に装備された対の爪付きロッドとを備え、該昇降ビームの昇降時に、該ガイドが炉蓋に取り付けられたアタッチメントと摺接し、該爪付きロッドの爪が該アタッチメントと係合するようにして成ることを特徴とする溶解炉の炉蓋昇降装置に係る。
【０００５】
本発明に係る炉蓋昇降装置では、炉蓋の上方にレール誘導の台車が移動可能に配設されており、該台車上に支持枠が設置されていて、該支持枠に対の巻き取りドラムが装備されている。支持枠は、レール誘導の台車上に設置され、したがって該台車と共に移動可能となっている。対の巻き取りドラムは通常、モータ駆動で正転し、また逆転するようになっている。対の巻き取りドラムにはそれぞれワイヤが巻き付けられており、該ワイヤの先端部に昇降ビームが吊下げられている。この場合、ワイヤで吊下げられた昇降ビームの揺動を防止するため、支持枠に対のガイドロッドを取付け、昇降ビームに該ガイドロッドの誘導孔を貫設するのが好ましい。昇降ビームには対のガイドが取り付けられており、また対の爪付きロッドが回転可能に装備されている。対のガイドは通常、昇降ビームから垂設されており、その先端部に傾斜面を有している。対の爪付きロッドは通常、シリンダ駆動で９０度正転し、また逆転するようになっている。そして炉蓋には対のアタッチメントが取り付けられている。対のアタッチメントは通常、中空の箱形様に形成されており、その上面に爪付きロッドの爪を受け入れる開口が設けられている。
【０００６】
モータ駆動で対の巻き取りドラムを逆転させ、ワイヤを介して昇降ビームを下降させると、先ず対のガイドが対のアタッチメントの外側面と摺接し、これによりワイヤで吊下げられた昇降ビームの炉蓋に対する位置が決められ、次に対の爪付きロッドの爪がアタッチメント上面の開口を通りアタッチメント内に収容される。この段階でモータ駆動による対の巻き取りドラムの逆転を止め、昇降ビームの下降を止めて、シリンダ駆動で対の爪付きロッドを９０度正転させると、対の爪付きロッドの爪と対のアタッチメントとが係合する状態になる。この後、モータ駆動で対の巻き取りドラムを正転させ、ワイヤを介して昇降ビームを上昇させると、対の爪付きロッド及びアタッチメントを介して、炉蓋が炉本体の真上へ上昇し、炉蓋が開く。炉蓋を閉じるときは、上記と逆の操作をする。
【０００７】
本発明によると、炉蓋の上方に炉蓋昇降装置を配設し、これにより炉蓋を炉本体に対して真上へ上昇させ、また真下へ下降させるため、炉本体の側に配置した昇降旋回機によりアームを介して炉蓋を昇降及び旋回させる従来装置に比べて機構上の無理がなく、炉蓋と炉本体との衝突による衝突部の変形や損壊の発生を防止できる。更に本発明によると、昇降ビームの昇降時には昇降ビームに取り付けられた対のガイドが炉蓋に取り付けられたアタッチメントと摺接して、爪付きロッドの爪をアタッチメントに案内することになるから、爪付きロッドには無理な力が加わることがなく、したがって昇降ビームの昇降時にも爪付きロッドの変形や損壊の発生を防止することができる。また支持枠にガイドロッドを取り付け、昇降ビームに該ガイドロッドの誘導孔等を設ける場合も、爪付きロッドと同様にガイドロッドの変形や損壊の発生を防止することができる。
【０００８】
【発明の実施の形態】
図１は本発明に係る炉蓋昇降装置を一部縦断面で例示する正面図、図２及び図３は図１の部分拡大平面図、図４は図１の作用状態を示す部分拡大平面図である。図示しない溶解炉の炉本体に被着された炉蓋１の上方にレール誘導の台車４ａ，４ｂ及び支持枠２が配設されている。支持枠２は中空の箱形様に形成されており、レール３で誘導される台車４ａ，４ｂに固定されている。したがって支持枠２は炉蓋１の上方にて台車４ａ，４ｂと共に移動可能に配設されている。
【０００９】
支持枠２にはモータ５、モータ５の回転軸に連結されたウインチ６及びウインチ６の回転軸に連結された対の巻き取りドラム７ａ，７ｂが装備されており、対の巻き取りドラム７ａ，７ｂはモータ５の駆動で正転し、また逆転するようになっている。対の巻き取りドラム７ａ，７ｂにはそれぞれワイヤ８ａ，８ｂが巻き付けられており、ワイヤ８ａ，８ｂは支持枠２の底面開口を通り垂れ下げられていて、その先端部に昇降ビーム９が吊下げられている。支持枠２の底面からは対のガイドロッド１０ａ，１０ｂが垂設されており、昇降ビーム９には対のガイドロッド１０ａ，１０ｂを受け入れる誘導孔１１ａ，１１ｂが貫設されている。
【００１０】
昇降ビーム９からは対のガイド１２ａ，１２ｂが垂設されており、対のガイド１２ａ，１２ｂの先端部には傾斜面が形成されている。また昇降ビーム９には対の爪付きロッド１３ａ，１３ｂが装備されている。爪付きロッド１３ｂは爪付きロッド１３ａと同様の構成になっているのでその説明を省略するが、爪付きロッド１３ａは昇降ビーム９へ回転自在に取り付けられたロッド１４ａ、ロッド１４ａの先端部に取り付けられた平面矩形の爪１５ａ及びロッド１４ａの基端部に取り付けられた延長片１６ａとを備えている。一方、昇降ビーム９には別の延長片１７ａが取り付けられており、延長片１７ａにシリンダ１８ａが軸承されていて、シリンダ１８ａのシリンダロッド１９ａの先端部は延長片１６ａの先端部に軸承されている。したがって爪付きロッド１３ａはシリンダ１８ａの駆動で９０度正転し、また逆転するようになっている。
【００１１】
炉蓋１の上面には対のアタッチメント２０ａ，２０ｂが取り付けられている。対のアタッチメント２０ａ，２０ｂは中空の箱形様に形成されており、その上面に爪付きロッド１３ａ，１３ｂの爪１５ａ，１５ｂを受け入れる平面矩形の開口２１ａ，２１ｂが設けられていて、その側面上部に傾斜面が形成されている。
【００１２】
モータ５の駆動で対の巻き取りドラム７ａ，７ｂを逆転させ、ワイヤ８ａ，８ｂを介して昇降ビーム９を下降させると、先ず対のガイド１２ａ，１２ｂが対のアタッチメント２０ａ，２０ｂの外側面と摺接し、これによりワイヤ８ａ，８ｂで吊下げられた昇降ビーム９の炉蓋１に対する位置が決められ、次に対の爪付きロッド１３ａ，１３ｂの爪１５ａ，１５ｂが開口２１ａ，２１ｂを通りアタッチメント２０ａ，２０ｂ内に収容される（図３の状態）。この段階でモータ５の駆動を止め、昇降ビーム９の下降を止めて、シリンダ１８ａ，１８ｂ（但し、シリンダ１８ｂは図示しない）の駆動で対の爪付きロッド１３ａ，１３ｂを９０度正転させると、対の爪付きロッド１３ａ，１３ｂの爪１５ａ，１５ｂと対のアタッチメント２０ａ，２０ｂとが係合する状態になる（図４の状態）。この後、モータ５の駆動で対の巻き取りドラム７ａ，７ｂを正転させ、ワイヤ８ａ，８ｂを介して昇降ビーム９を上昇させると、対の爪付きロッド１３ａ，１３ｂ及びアタッチメント２０ａ，２０ｂを介して、炉蓋１が炉本体の真上へ上昇し、炉蓋１が開く。炉蓋１を閉じるときは、上記と逆の操作をする。
【００１３】
【発明の効果】
既に明らかなように、以上説明した本発明には、機構上無理なく炉蓋を昇降させることができ、炉蓋と炉本体との衝突による変形や損壊を防止できるという効果がある。
【図面の簡単な説明】
【図１】  本発明に係る炉蓋昇降装置を一部縦断面で例示する正面図。
【図２】  図１の炉蓋昇降装置を示す部分拡大平面図。
【図３】  図１の炉蓋昇降装置を示す部分拡大平面図。
【図４】  図１の炉蓋昇降装置の作用状態を示す部分拡大平面図。
【符号の説明】
１・・・炉蓋、２・・・支持枠、３・・・レール、４ａ，４ｂ・・・台車、７ａ，７ｂ・・・巻き取りドラム、８ａ，８ｂ・・・ワイヤ、９・・・昇降ビーム、１０ａ，１０ｂ・・・ガイドロッド、１１ａ，１１ｂ・・・誘導孔、１２ａ，１２ｂ・・・ガイド、１３ａ，１３ｂ・・・爪付きロッド、１５ａ，１５ｂ・・・爪、２０ａ，２０ｂ・・・アタッチメント
【図１】
0003785631.tif 000002
【図２】
0003785631.tif 000003
【図３】
0003785631.tif 000004
【図４】
0003785631.tif 000005